(57)【要約】【課題】制御権獲得した状態にて、新たに変更された通信経路で通信再開できない場合、他の機器から制御できない状態を防ぐ。【解決手段】通信経路の切り替え時、一時停止してから再開されるまでの時間が予め定められた時間を超えた時点で、制御権の予約されている周辺装置の開放を代わりに行う。【選択図】図１６
2007281971.tif 000002
【特許請求の範囲】
【請求項１】
周辺装置を無線ネットワークに接続するための通信制御方法であって、
第１の通信経路における通信継続の可否を判断する判断工程と、
前記判断工程にて通信継続が否と判断された場合に通信を一時停止し、第２の通信経路に切り替え、停止していた通信を再開する通信切り替え工程と、
前記通信切り替え工程にて通信が一時停止してからの時間を計測する計測工程と、
前記計測工程にて、予め定められた時間経過しても停止していた通信が再開されないと判断された場合、接続されている周辺装置の制御権の予約開放を行う予約開放工程とを有することを特徴とする通信制御方法。
【請求項２】
前記周辺装置との接続にＩＥＥＥ１３９４シリアルバスを用いて構成されることを特徴とする請求項１に記載の通信制御方法。
【請求項３】
前記予約開放工程は、ＩＥＥＥ１３９４規格のリザーブコマンドを使用することを特徴とする請求項２に記載の通信制御方法。
【請求項４】
前記予約開放工程は、ＩＥＥＥ１３９４シリアルバスをリセットさせることにより実現することを特徴とする請求項２に記載の通信制御方法。
【請求項５】
前記予め定められた時間は、通信エラーの発生率から予測し求めることを特徴とする請求項１〜４のいずれか１項に記載の通信制御方法。
【請求項６】
周辺装置を無線ネットワークに接続するための通信制御装置であって、
第１の通信経路における通信継続の可否を判断する判断手段と、
前記判断手段にて通信継続が否と判断された場合に通信を一時停止し、第２の通信経路に切り替え、停止していた通信を再開する通信切り替え手段と、
前記通信切り替え手段にて通信が一時停止してからの時間を計測する計測手段と、
前記計測手段にて、予め定められた時間経過しても停止していた通信が再開されないと判断された場合、接続されている周辺装置の制御権の予約開放を行う予約開放手段とを備えることを特徴とする通信制御装置。
【請求項７】
前記周辺装置との接続にＩＥＥＥ１３９４シリアルバスを用いて構成されることを特徴とする請求項６に記載の通信制御装置。
【請求項８】
前記予約開放手段は、ＩＥＥＥ１３９４規格のリザーブコマンドを使用することを特徴とする請求項７に記載の通信制御装置。
【請求項９】
前記予約開放手段は、ＩＥＥＥ１３９４シリアルバスをリセットさせることにより実現することを特徴とする請求項７に記載の通信制御装置。
【請求項１０】
前記予め定められた時間は、通信エラーの発生率から予測し求めることを特徴とする請求項６〜９のいずれか１項に記載の通信制御装置。
【請求項１１】
周辺装置を無線ネットワークに接続するための通信制御プログラムであって、
第１の通信経路における通信継続の可否を判断する判断手順と、
前記判断手順にて通信継続が否と判断された場合に通信を一時停止し、第２の通信経路に切り替え、停止していた通信を再開する通信切り替え手順と、
前記通信切り替え手順にて通信が一時停止してからの時間を計測する計測手順と、
前記計測手順にて、予め定められた時間経過しても停止していた通信が再開されないと判断された場合、接続されている周辺装置の制御権の予約開放を行う予約開放手順とをコンピュータに実行させるための通信制御プログラム。
【請求項１２】
前記周辺装置との接続にＩＥＥＥ１３９４シリアルバスを用いて構成されることを特徴とする請求項１１に記載の通信制御プログラム。
【請求項１３】
前記予約開放手順は、ＩＥＥＥ１３９４規格のリザーブコマンドを使用することを特徴とする請求項１２に記載の通信制御プログラム。
【請求項１４】
前記予約開放手順は、ＩＥＥＥ１３９４シリアルバスをリセットさせることにより実現することを特徴とする請求項１２に記載の通信制御プログラム。
【請求項１５】
前記予め定められた時間は、通信エラーの発生率から予測し求めることを特徴とする請求項１１〜１４のいずれか１項に記載の通信制御プログラム。
【発明の詳細な説明】
【技術分野】
【０００１】
本発明は、周辺装置をネットワークに収容し、ネットワーク上の端末装置とデータ通信するための通信制御方法、通信制御装置、及び通信制御プログラムに関する。
【背景技術】
【０００２】
従来、デジタルビデオカメラ等で撮影された画像データをネットワーク上の他の端末装置に表示するには、デジタルビデオカメラをＩＥＥＥ（The Institute of Electrical and Electronics Engineers）で規格化されたＩＥＥＥ１３９４ケーブルにてパーソナルコンピュータに接続する。
【０００３】
パーソナルコンピュータが画像データを中継、及びＩＥＥＥ１３９４とネットワーク間のプロトコル変換を行うことにより、パーソナルコンピュータが通信可能なネットワーク上の他の端末装置に撮影された画像データを表示する技術が一般的であった（例えば特許文献１を参照）。
【０００４】
さらに、上記においてはパーソナルコンピュータの代わりとして、専用で低価格の通信アダプタが製品として普及してきている。
【０００５】
上記使用方法におけるネットワーク側においては、特に家庭のネットワークにおいては、配線の都合上、イーサネット（登録商標）ケーブル、即ち有線ＬＡＮ（Local Area Network）よりも、無線ＬＡＮ、即ち無線による通信が普及してきている。
【０００６】
これら無線通信においては、相互に無線通信可能な範囲に存在する無線端末同士が直接通信を行うアドホックネットワークと、アクセスポイントを介して有線ネットワークにアクセス可能なベースネットワークとが存在する（例えば特許文献２を参照）。
【０００７】
ベースネットワークにおいては、無線端末同士が直接無線通信可能な範囲に存在しない場合、アクセスポイントが無線パケットの中継を行うことにより、直接の通信よりもより広範囲の通信が可能となる。例えば図１においては、携帯可能な表示端末１０４からの指示に従って、デジタルビデオカメラ１０１にて撮影された画像データがＩＥＥＥ１３９４ケーブル１０２で接続される通信アダプタ１０３を中継し、表示端末１０４で表示される一例を示している。
【０００８】
図１０（ａ）は、通信アダプタ１０３と表示端末１０４間の距離が近く、互いの通信を邪魔するようなものが近くになく、良好な無線通信が確保できる場合、通信アダプタ１０３と表示端末１０４が直接無線通信を行っていることを示している。また、図１０（ｂ）は、表示端末１０４と直接通信アダプタ１０３間の距離が離れている場合や、互いの通信を邪魔するようなものが近くにある場合がある。この場合に直接通信を行うには良好な無線通信の確保が困難な場合があり、表示端末１０４と通信アダプタ１０３の間のアクセスポイント１０５を中継局として通信を行っていることを示している。即ち、通信アダプタ１０３の近くで表示端末１０４を使用している場合は図１０（ａ）の通りであり、離れた場合は図１０（ｂ）のように通信経路が切り替わる。
【０００９】
また、デジタルビデオカメラ側においては、デジタルビデオカメラとの接続に、ＩＥＥＥ１３９４ケーブルだけではなく、ＵＳＢケーブル、或いはブルートゥース（登録商標）（Bluetooth）等の無線通信方式による接続方式が採用されはじめている。ただし、今尚ＩＥＥＥ１３９４ケーブルによる接続が多くを占めている。
【００１０】
これらＩＥＥＥ１３９４のようなシリアル通信においては、ＩＥＥＥ１３９４シリアルバス上に接続されたＡＶ（オーディオビジュアル）機器（ユニット）は、所定のデジタルインターフェースコマンド（AV/C Command Transaction Set、以下ＡＶ／Ｃコマンドと略称する）を用いて、相互に情報を伝達し、制御することが可能である。
【００１１】
また、ユニットには複数の機能を有することが可能であり、それらはサブユニットと呼ばれている。例えばテープレコーダ機能を有するデジタルビデオカメラにおいては、カメラサブユニットとテープレコーダ／プレイヤサブユニットを有することになる。これら個々のサブユニットに対しても、情報を伝達し、制御すること可能である。
【００１２】
一般にＩＥＥＥ１３９４シリアルバス上に接続されるある特定のユニットａが、別の特定のユニットｂの任意のサブユニットｃを独占して制御することを望む場合、ＡＶ／Ｃコマンドの一般的な仕様（AV/C Digital Interface Command Set General、以下ＡＶ／Ｃジェネラルと略称する）で規定されているリザーブコマンド（RESERVE command）を使用する。このリザーブコマンド、及びＡＶ／Ｃジェネラルの詳細については、一般に公開されているためここではその説明を省略する。
【００１３】
図１に示されるように、デジタルビデオカメラ１０１にて撮影された画像データを表示端末１０４で見る場合でも、ＩＥＥＥ１３９４シリアルバスに接続されるその他の装置、或いは同じＬＡＮ上に存在するその他の装置にデジタルビデオカメラ１０１を制御されないようにする。
【００１４】
そのため、表示端末１０４から予めデジタルビデオカメラ１０１の制御権を獲得してから、デジタルビデオカメラ１０１で撮影された画像データの通信を行い、表示端末１０４に表示を行っていた。
【００１５】
また、表示を終了させたい場合は、同様にデジタルビデオカメラ１０１の制御権の開放を行っていた。
【００１６】
このとき、表示端末１０４からはＡＶ／Ｃジェネラルのリザーブコマンドをネットワーク上のプロトコルパケットにあわせた形でパッケージ化し送信し、通信アダプタ１０３側で、元のＡＶ／Ｃジェネラルのリザーブコマンドに戻して、ＩＥＥＥ１３９４シリアルバスへ送信していた。
【００１７】
また或いは、ＡＶ／Ｃジェネラルのリザーブコマンドに対応するＬＡＮ上のコマンドを送信し、通信アダプタ１０３側で、ＡＶ／Ｃジェネラルのリザーブコマンドに変換し、ＩＥＥＥ１３９４シリアルバスへ送信していた。
【００１８】
【特許文献１】特開２００２−２７１７６６号公報
【特許文献２】特開平７−３０３１０５号公報
【発明の開示】
【発明が解決しようとする課題】
【００１９】
しかしながら、従来、無線通信を使用したネットワーク側の表示端末を装置使用者が携帯し、移動しながら、デジタルビデオカメラで撮影した画像データを見ている場合、アダプタと携帯可能な表示端末の直接の経路での無線通信から、アクセスポイントを中継する経路での無線通信に切り替わっても、そのアクセスポイントを中継する通信経路にて確実に通信が可能であるという保証がないという問題があった。
【００２０】
その場合、直接の通信経路で獲得されていたデジタルビデオカメラの制御権を、再び直接の通信経路で開放しようと試みることも可能である。しかしながら、既に良好な無線通信の確保が困難となっているため、確実に制御権開放の通信ができるという保証がないという問題がある。
【００２１】
そのため、既に表示端末がデジタルビデオカメラを制御できない状態になっているにもかかわらず、ネットワーク上の他の機器がデジタルビデオカメラの制御を望んでも、表示端末に制御権があるため、制御できない状態が継続してしまうと言う問題があった。
【００２２】
本発明は、このような問題を解決するために提案されたものであり、その目的は、表示端末と通信アダプタ間で無線通信の経路が変更されたにもかかわらず、新たな通信経路にて良好な無線通信が困難な場合、通信アダプタが制御権を獲得している表示端末に代わりに、通信アダプタに接続されているデジタルビデオカメラの制御権を開放することにより、ネットワーク上の他の機器からデジタルビデオカメラの制御可能となる通信制御方法、通信制御装置、及び通信制御プログラムを提供することを目的とする。
【課題を解決するための手段】
【００２３】
上記目的を達成するために本発明は、周辺装置を無線ネットワークに接続するための通信制御方法において、第１の通信経路における通信継続の可否を判断する判断工程と、前記判断工程にて通信継続が否と判断された場合に通信を一時停止し、第２の通信経路に切り替え、停止していた通信を再開する通信切り替え工程と、前記通信切り替え工程にて通信が一時停止してからの時間を計測する計測工程と、前記計測工程にて、予め定められた時間経過しても停止していた通信が再開されないと判断された場合、接続されている周辺装置の制御権の予約開放を行う予約開放工程とを備えることを特徴とする通信制御方法等、を提供する。
【発明の効果】
【００２４】
本発明によれば、新たに変更された通信経路にて通信を再開できない場合、接続されている周辺装置の制御権開放を行うことにより、他の機器でも周辺装置の制御可能となる通信制御方法、通信制御装置、及び通信制御プログラムを提供することが可能となる。
【発明を実施するための最良の形態】
【００２５】
以下、添付図面を参照して、本発明の好適な実施形態について説明する。
（第１の実施形態）
図１に、本実施形態のネットワークシステムの概略構成を示す。同図において、携帯可能な表示端末１０４からの指示に従って、デジタルビデオカメラ１０１にて撮影された画像データがＩＥＥＥ１３９４ケーブル１０２で接続される通信アダプタ１０３を中継し、表示端末１０４で表示される。
【００２６】
図１（ａ）は、通信アダプタ１０３と表示端末１０４間の距離が近く、互いの通信を邪魔するようなものが近くになく、良好な無線通信が確保できる場合、通信アダプタ１０３と表示端末１０４が直接無線通信を行っていることを示している。
【００２７】
また、図１（ｂ）は、表示端末１０４と直接通信アダプタ１０３間の距離が離れている場合や、互いの通信を邪魔するようなものが近くにある等により、直接通信を行うには良好な無線通信の確保が困難な場合、表示端末１０４と直接通信アダプタ１０３の間のアクセスポイント１０５を中継局として通信を行っていることを示している。
【００２８】
即ち、通信アダプタ１０３の近くで表示端末１０４を使用している場合は、図１（ａ）の通信経路で通信が行われ、表示端末１０４が通信アダプタ１０３から離れることにより、図１（ｂ）の通信経路に切り替わり通信が行われる。
【００２９】
次に、図２に、本実施形態の通信制御装置である通信アダプタ装置の構成を示す。通信制御装置はその他単一のコンピュータ装置で実現しても良い。同図において、２０１は通信アダプタ装置１０３全体を制御するＣＰＵ（Central Processing Unit）である。
【００３０】
２０２はプログラムやパラメータを記録したり、バッファとして使用されたりするＲＡＭ（Random Access Memory）である。２０３はＩＥＥＥ１３９４ケーブル１０２にて接続される装置と各種データ通信を行うＩＥＥＥ１３９４コントローラである。２０７は無線通信を行うためのアンテナである。２０４は無線通信を行う無線通信部である。
【００３１】
無線通信部２０４は、無線送信部２０５と、無線受信部２０６とからなる。無線送信部２０４は、アンテナ２０７に接続され、送信する信号に対して、誤り訂正符号、パケットの組立、通信制御、変調等を実行して無線信号をアンテナ２０７から送信する。無線受信部２０６は、アンテナ２０７に接続され、アンテナ２０７で受信した信号に対して誤り訂正復号、パケット分解、通信制御、フレームのエラーチェック、ビットの同期処理、復調等を実行する。
【００３２】
次に、本実施形態で使用されるＡＶ／Ｃコマンドについて図３及至図１４を参照して説明する。ＡＶ／Ｃコマンド及びレスポンスは、ＩＥＣ（The International Electrotechnical Commission）  ６１８８３−１により規定されているＦＣＰ（Function Control Protocol）によって伝送される。
【００３３】
ＦＣＰは、ＩＥＥＥスタンダード１３９４−１９９５のアシンクロナスブロックライトトランザクション（asynchronous block write transactions）内に、機器を制御するコマンドとレスポンスをカプセル化するものである。そのフォーマットは、図３に示されるよう先頭のパケットヘッダ（packet header）とそれに続くＦＣＰフレーム（frame）、及び最後のデータＣＲＣ（data_CRC）とから構成される。
【００３４】
ＦＣＰフレームの最初の４ビットはｃｔｓ（Command/Transaction Set）であり、ＡＶ／Ｃコマンドの場合その値は００００がセットされる。
【００３５】
その次に配置されるＦＣＰデータの詳細を図４、及び図５に示す。図４はＡＶ／ＣコマンドフレームのＦＣＰフレームを示し、図５はＡＶ／ＣレスポンスフレームのＦＣＰフレームを示している。
【００３６】
図４のｃｔｙｐｅは４ビットで、コマンドタイプ（Command type）を示し、図６に示されるような意味を有する。例えば値０はコントロール（CONTROL）を示し、値１はステータス（STATUS）を示す。
【００３７】
次の５ビットのサブユニットタイプ（subunit_type）は、このコマンドが対象とするサブユニットの種類を示し、現時点で図７に示されるようなサブユニットの種類がある。例えば値４はそのサブユニットの種類がテープレコーダ／プレイヤ（Tape recorder/player）であることを示し、値１Ｆ（１６進数）はユニット全体を示す。
【００３８】
次の３ビットのサブユニットＩＤ（subunit_ID）は、サブユニットの付加情報を示し、その内容を図８に示す。図８に示されるようにその値が０から４はインスタンス番号を示し、値５はサブユニットＩＤが次のバイトに拡張されたことを示す。
【００３９】
図４中のｏｐｃｏｄｅはオペレーションコード（Operation code）を示す。ｏｐｃｏｄｅの次にはオペランド［０］（operand[0]）〜オペランド［ｎ］（operand[n]）が配置される。なお各オペランドの意味はｏｐｃｏｄｅ毎に定義される。
【００４０】
図５に示されるＡＶ／ＣレスポンスフレームのＦＣＰフレームも、基本的には図４に示されるＡＶ／ＣコマンドフレームのＦＣＰフレームと同様に構成されているが、図４のｃｔｙｐｅに代わり、レスポンス（response）が配置される。このレスポンスはレスポンスコード（response code）を示し、図９に示されような意味を有する。例えば値８は要求されたコマンドに対応していないこと（NOT IMPLEMENTED）を示し、値９は要求されたコマンドを受け入れたことを示す。
【００４１】
コントローラがターゲットに対してＡＶ／Ｃコマンドを送信したとき、ターゲットはそのコマンドに対応する処理を行い、１００ｍｓ以内にレスポンスを送信しなければならない。ただし、１００ｍｓ以内に処理を終了し、レスポンスを送信できない場合は、１００ｍｓ以内に暫定的なレスポンス（INTERIM response）を送信し、処理が完了した時点で、最終レスポンスを（final response）を送信する。
【００４２】
次に、本実施形態で使用されるＡＶ／ＣコマンドのＡＶ／Ｃジェネラルに規定されているリザーブコマンドについて図１０及至図１２を参照して説明する。図１０に示されるようにリザーブコマンドにおけるｏｐｃｏｄｅの値は０１であり、ｏｐｃｏｄｅの次にオペランド［０］（operand[0]）〜オペランド［１２］（operand[12]）が配置される。
【００４３】
オペランド［０］にはプライオリティ（priority）が配置される。このプライオリティの値により、ターゲットの排他制御、即ち予約（Reserve）により、他のコントローラへの制御権の獲得、開放を決定していく。
【００４４】
また、ターゲットは、より大きなプライオリティ値を送ってきたコントローラへ制御権を与える。既にそのターゲットを予約し、制御権を得ているコントローラが、プライオリティ値０のコントロールコマンドを送信してきたならば、予約の解除、即ち制御権を開放することを意味する。レスポンスにおいてのプライオリティ値０は、いずれのコントローラもそのターゲットを予約していないことを示す。
【００４５】
プライオリティ値１〜Ｆ（１６進数）は、コントロールコマンドにおいては、そのプライオリティ値でターゲットを予約、即ち制御権の獲得を要求してきたことを意味する。レスポンスにおいては、ターゲットがあるコントローラによりそのプライオリティ値で予約されていることを示す。プライオリティ値４は、コントローラが使用する標準的なプライオリティ値である。
【００４６】
予約されたターゲットは、予約がなされたプライオリティ、それに続くオペランド［１］〜オペランド［１２］のテキスト（text）列、及びコントローラのノードＩＤを記録する。プライオリティに続くテキストは、ＡＳＣＩＩ文字が１２バイトまで挿入されてくる。
【００４７】
ターゲットによって予約が受け入れられたとき、保持される値は図１１に示すように変換される。例えば０と１、及びＦ（１６進数）の値はそのままプライオリティ値として保持され、２からＥ（１６進数）の値は、プライオリティ値とＥ（１６進数）のビット毎の論理積の値として保持される。
【００４８】
ターゲットは、あるコントローラの予約を保持するとき、他のコントローラから送られてくるリザーブ以外のコントロールコマンドをリジェクト（REJECTED）することによりターゲットの排他制御が行われる。
【００４９】
また、ターゲットは、予約を保持する同一のコントローラから再度リザーブコントロールコマンドが送られてきた場合、それに関してはアクセプト（ACCEPTED）する。
【００５０】
このことは、ターゲットの予約を行っているコントローラがその予約に伴うプライオリティ値を上げたり、下げたりすることを許容することを意味する。予約を行ったコントローラ以外のコントローラから、リザーブコントロールコマンドが送られてきたとき、ターゲットは現在の予約のプライオリティ値よりそのプライオリティ値が大きくない場合、そのコマンドをリジェクトする。そのプライオリティ値が大きい場合新たな予約を確立する。
【００５１】
なお、コントローラは、現在の予約の状態を図１２に示されるステータス（STATUS）コマンドタイプのフィールドを有するリザーブコマンドを送信することで要求することが可能である。
【００５２】
次に、本実施形態で使用されるＡＶ／Ｃコマンドのサブユニットである、ＡＶ／Ｃテープレコーダ／プレイヤの仕様（AV/C Tape Recorder/Player Subunit、以下ＡＶ／Ｃテープレコーダと略称する）で規定されているプレイ（PLAY）コマンドについて図１３、及び図１４を参照して説明する。なお、ＡＶ／Ｃテープレコーダの詳細については、同様に一般に公開されているためここではその説明を省略する。
【００５３】
図１３に示されるようにプレイコマンドにおけるｏｐｃｏｄｅの値はＣ３（１６進数）であり、ｏｐｃｏｄｅの次にオペランド［０］（operand[0]）が配置される。オペランド［０］にはプレイバックモード（playback mode）が配置される。これにより、ターゲットであるテープレコーダ／プレイヤサブユニットは、テープメディアに記録されているコンテンツの、図１４（一部省略）に示されるような各種処理を行う。
【００５４】
例えばノーマルスピードによる順方向への再生（FORWARD）ならば、７５（１６進数）がセットされ、順方向再生中の停止（FORWARD PAUSE）ならば７Ｄ（１６進数）がセットされる。同様に逆方向への再生（REVERSE）ならば６５（１６進数）がセットされる。以上が本実施形態で使用されるＡＶ／Ｃコマンドについての説明である。
【００５５】
次に、上述のようなリザーブコマンドとプレイコマンドを使用して、表示端末１０４と通信アダプタ１０３の通信経路が、図１（ａ）から図１（ｂ）に切り替わっても、正常にデータ通信を継続した場合の流れについて図１５を用いて説明する。なお、本実施形態では、装置使用者がデジタルビデオカメラ１０１に録画、記録されているコンテンツを、他の装置に邪魔されることなく表示端末１０４にて表示することを希望する場合について述べる。
【００５６】
同図において、プロセスＰ１５０１、プロセスＰ１５０２、及びプロセスＰ１５０３は、表示端末１０４と通信アダプタ１０３は近距離にあり、良好な無線通信が可能なことから直接無線通信を行っている。
【００５７】
また、プロセスＰ１５０４、プロセスＰ１５０５、及びプロセスＰ１５０６は、表示端末１０４と通信アダプタ１０３が遠距離に移動し、そのため直接無線通信を行うには良好な無線通信が困難になったので、アクセスポイント１０５を経由して通信を行っている。
【００５８】
さらに、デジタルビデオカメラ１０１と通信アダプタ１０３は、ＩＥＥＥ１３９４ケーブル１０２を通じて通信を行っている。
【００５９】
また、表示端末１０４と通信アダプタ１０３、及びアクセスポイント１０５間の通信は、ＩＥＥＥ１３９４の通信データを無線通信のパケットにパッケージ化したものであっても良い。或いは、ＩＥＥＥ１３９４とは別に対応するフォーマットを無線通信上で定義し、通信アダプタ１０３にて変換するようにしてもよい。
【００６０】
まず、プロセスＰ１５０１にて、表示端末１０４での装置使用者の操作により、デジタルビデオカメラ１０１に記録されている画像データの再生を行うため、デジタルビデオカメラ１０１の制御権獲得を行う。即ち、表示端末１０４は通信アダプタ１０３へ制御権獲得要求を直接無線にて送信し、制御権獲得要求を受信した通信アダプタ１０３は、制御権獲得要求をＩＥＥＥ１３９４のＡＶ／Ｃジェネラルのリザーブコントロールコマンドに変換し、デジタルビデオカメラ１０１へ送信する。このときリザーブコントロールコマンドに用いられるプライオリティ値は４を使用しても良いし、０以外なら他のプライオリティ値を使用しても良い。
【００６１】
デジタルビデオカメラ１０１からアクセプトがレスポンスされたら、通信アダプタ１０３は制御権獲得の旨を表示端末１０４へ直接無線で通信する。制御権獲得後、他の機器からプライオリティ値の高いリザーブコントロールコマンドをデジタルビデオカメラ１０１が受信するまで、或いは自ら制御権開放処理を行うまでの間、表示端末１０４は独占してデジタルビデオカメラ１０１をコントロールすることが可能となる。
【００６２】
次に、プロセスＰ１５０２にて、装置使用者の操作に応じて、デジタルビデオカメラ１０１のテープに記録されているコンテンツの再生を行うため、デジタルビデオカメラ１０１の再生要求を行う。即ち、表示端末１０４は通信アダプタ１０３へデジタルビデオカメラ１０１の再生要求を直接無線にて送信する。再生要求を受信した通信アダプタ１０３は、再生要求をＩＥＥＥ１３９４のＡＶ／Ｃテープレコーダのプレイコントロールコマンドに変換し、デジタルビデオカメラ１０１へ送信する。このときプレイコントロールコマンドに用いられるプレイバックモードは、ノーマルスピードによる順方向への再生である、７５（１６進数）がセットされる。
【００６３】
デジタルビデオカメラ１０１からアクセプトがレスポンスされたら、通信アダプタ１０３はその旨を表示端末１０４へ直接無線で通知する。その後、デジタルビデオカメラ１０１のテープに記録されているコンテンツの再生データは、デジタルビデオカメラ１０１から通信アダプタ１０３を経由し、通信アダプタ１０３から直接表示端末１０４へ送信され、表示端末１０４にて表示される。
【００６４】
上記通信アダプタ１０３から表示端末１０４へ直接コンテンツデータの無線通信を行っている際に、装置使用者が表示端末１０４を携帯し、移動したために、或いは他の要因の発生により良好な通信が得られなくなった場合、即ち通信エラーの発生率が大きくなったのを検知して、無線通信の通信経路を通信アダプタ１０３と表示端末１０４の直接通信であったのを、アクセスポイント１０５経由の通信経路の無線通信に切り替える。
【００６５】
まず、プロセスＰ１５０３にて、通信経路を通信アダプタ１０３と表示端末１０４の直接の無線通信から、アクセスポイント１０５経由の無線通信に切り替えるため、その間デジタルカメラ１０１でのコンテンツの再生を一時停止する必要がある。従って、デジタルビデオカメラ１０１のコンテンツの再生を一時停止するために、無線通信の経路変更に伴うデジタルビデオカメラ１０１の一時停止要求を行う。即ち、表示端末１０４は通信アダプタ１０３へデジタルビデオカメラ１０１の一時停止要求と、その要因が無線通信の経路変更によるものである旨を直接無線にて送信する。その旨を受信した通信アダプタ１０３は、一時停止要求をＩＥＥＥ１３９４のＡＶ／Ｃジェネラルのプレイコントロールコマンドに変換し、デジタルビデオカメラ１０１へ送信する。このときプレイコントロールコマンドに用いられるプレイバックモードは、ノーマルスピードで順方向の再生中であるならば、その停止である７Ｄ（１６進数）がセットされる。
【００６６】
また、通信アダプタ１０３は、受信した一時停止要求が無線通信の経路変更に伴うものであるならば、時間計測を開始する。
【００６７】
さらに、デジタルビデオカメラ１０１からアクセプトがレスポンスされたら、通信アダプタ１０３はその旨を通知する。
【００６８】
なお、時間計測は表示端末１０４からの無線通信の経路変更に伴うデジタルビデオカメラ１０１の一時停止要求を受信したときでも良いし、その返信を通信アダプタ１０３が行うとき開始しても良い。
【００６９】
次に、プロセスＰ１５０４にて、デジタルビデオカメラ１０１のテープに記録されているコンテンツの再生再開を行うため、デジタルビデオカメラ１０１の再生再開要求を行う。即ち、表示端末１０４はアクセスポイント１０５経由で、通信アダプタ１０３へデジタルビデオカメラ１０１の再生再開要求を無線にて送信する。
【００７０】
再生再開要求を受信した通信アダプタ１０３は、再生再開要求をＩＥＥＥ１３９４のＡＶ／Ｃテープレコーダのプレイコントロールコマンドに変換し、デジタルビデオカメラ１０１へ送信する。このときプレイコントロールコマンドに用いられるプレイバックモードは、ノーマルスピードによる順方向への再生である、７５（１６進数）がセットされる。
【００７１】
デジタルビデオカメラ１０１からアクセプトがレスポンスされたら、通信アダプタ１０３はその旨をアクセスポイント１０５経由で、表示端末１０４へ無線で通知する。また、このときプロセスＰ１５０３で開始していた時間計測を終了する。
【００７２】
その後、デジタルビデオカメラ１０１のテープに記録されているコンテンツの再生データは、デジタルビデオカメラ１０１から通信アダプタ１０３を経由する。通信アダプタ１０３からさらにアクセスポイント１０５を経由し、表示端末１０４へ送信され、表示端末１０４にて表示される。
【００７３】
次に、プロセスＰ１５０５にて、装置使用者の操作に応じて、デジタルビデオカメラ１０１のテープに記録されているコンテンツの再生の停止を行うため、デジタルビデオカメラ１０１の再生停止要求を行う。即ち、表示端末１０４は、アクセスポイント１０５経由で、通信アダプタ１０３へデジタルビデオカメラ１０１の停止要求を無線にて送信する。停止要求を受信した通信アダプタ１０３は、停止要求をＩＥＥＥ１３９４のＡＶ／Ｃテープレコーダのプレイコントロールコマンドに変換し、デジタルビデオカメラ１０１へ送信する。このときプレイコントロールコマンドに用いられるプレイバックモードは、ノーマルスピードで順方向の再生中であるならば、その停止である（１６進数）がセットされる。
【００７４】
デジタルビデオカメラ１０１からアクセプトがレスポンスされたら、通信アダプタ１０３はその旨をアクセスポイント１０５経由で、表示端末１０４へ無線で通知する。
【００７５】
次に、プロセスＰ１５０６にて、使用しなくなったデジタルビデオカメラ１０１の制御権開放を行う。即ち、表示端末１０４は、アクセスポイント１０５経由で、通信アダプタ１０３へ制御権開放要求を無線にて送信し、制御権開放要求を受信した通信アダプタ１０３は、制御権開放要求をＩＥＥＥ１３９４のＡＶ／Ｃジェネラルのリザーブコントロールコマンドに変換し、デジタルビデオカメラ１０１へ送信する。このときリザーブコントロールコマンドに用いられるプライオリティ値は０を使用する。
【００７６】
デジタルビデオカメラ１０１からアクセプトがレスポンスされたら、通信アダプタ１０３は制御権開放の旨をアクセスポイント１０５経由で、表示端末１０４へ無線で通信する。制御権開放後、他の機器からデジタルビデオカメラ１０１をコントロールすることが可能となる。
【００７７】
以上が、表示端末１０４と通信アダプタ１０３の通信経路が、図１（ａ）から図１（ｂ）に切り替わっても、正常にデータ通信を継続した場合の流れの説明である。
【００７８】
次に、表示端末１０４と通信アダプタ１０３の通信経路が、図１（ａ）から図１（ｂ）に切り替わった後、アクセスポイント１０５と表示端末１０４間で無線通信による通信エラーが多発し、正常に通信できなかった場合の流れについて図１６を用いて説明する。同図において、プロセスＰ１５０１、プロセスＰ１５０２、及びプロセスＰ１５０３は、図１５と同様なので説明を省略する。
【００７９】
まず、プロセスＰ１６０１にて、デジタルビデオカメラ１０１のテープに記録されているコンテンツの再生再開を行うため、デジタルビデオカメラ１０１の再生再開要求を行う。表示端末１０４はアクセスポイント１０５経由で、通信アダプタ１０３へデジタルビデオカメラ１０１の再生再開要求を無線にて送信するが、アクセスポイント１０５と表示端末１０４間にて無線の通信エラーが頻発し、再生要求が通信できない状態となる。なお、本実施形態では、アクセスポイント１０５と表示端末１０４間で無線通信ができない状態について述べるが、アクセスポイント１０５と通信アダプタ１０３間で無線通信ができない状態でも同様である。
【００８０】
次に、プロセス１６０２では、通信アダプタ１０３において、表示端末１０４からの、アクセスポイント１０５を経由した、或いは経由せずに直接再生要求を受信することなく、プロセスＰ１５０３で測定開始した時間が予め定められた時間経過した場合を示している。即ち、無線通信の経路変更に伴うデジタルビデオカメラ１０１の一時停止要求後予め定められた時間内に、再生要求を通信アダプタ１０３が受信できなかった場合、表示端末１０４に代わって通信アダプタ１０３がデジタルビデオカメラ１０１の制御権開放を行う。即ち、通信アダプタ１０３は、ＩＥＥＥ１３９４のＡＶ／Ｃジェネラルのリザーブコントロールコマンドをデジタルビデオカメラ１０１へ送信する。このときリザーブコントロールコマンドに用いられるプライオリティ値は０を使用する。
【００８１】
制御権開放後、他の機器からデジタルビデオカメラ１０１をコントロールすることが可能となる。また、このときプロセスＰ１５０３で開始していた時間計測を終了する。
【００８２】
次に、プロセスＰ１６０３では、表示端末１０４から制御権開放されたデジタルビデオカメラ１０１を、他のコントローラを有する端末装置が、同様にＡＶ／Ｃジェネラルのリザーブコントロールコマンドを使用して、予約した状態を示している。
【００８３】
次に、プロセスＰ１６０４では、プロセスＰ１６０１にて通信エラーのため通信できなかった再生再開要求が、表示端末１０４の移動等の理由により無線通信状態が変化し、通信できた場合を示している。即ち、表示端末１０４はアクセスポイント１０５経由で、通信アダプタ１０３へデジタルビデオカメラ１０１の再生再開要求を無線にて送信する。再生再開要求を受信した通信アダプタ１０３は、再生再開要求をＩＥＥＥ１３９４のＡＶ／Ｃテープレコーダのプレイコントロールコマンドに変換し、デジタルビデオカメラ１０１へ送信する。このときプレイコントロールコマンドに用いられるプレイバックモードは、ノーマルスピードによる順方向への再生である、７５（１６進数）がセットされる。
【００８４】
ところが既にプロセスＰ１６０２にて、表示端末１０４に代わって通信アダプタ１０３がデジタルビデオカメラ１０１の制御権開放を行う。
【００８５】
さらに、プロセスＰ１６０３にて、他の端末装置がデジタルビデオカメラ１０１を予約、即ち制御権獲得しているため、デジタルビデオカメラ１０１は通信アダプタ１０３へリジェクトをレスポンスする。リジェクトを受信した通信アダプタ１０３は、その旨をアクセスポイント１０５経由で、表示端末１０４へ無線で通知し、表示端末１０４でのデジタルビデオカメラ１０１のコンテンツの再生再開が拒否される。
【００８６】
以上が、表示端末１０４と通信アダプタ１０３の通信経路が、図１（ａ）から図１（ｂ）に切り替わった後、アクセスポイント１０５と表示端末１０４間で無線通信による通信エラーが多発し、正常に通信できなかった場合の流れの説明である。
【００８７】
なお、プロセスＰ１６０３が行われない、即ち、他のコントローラを有する端末装置がデジタルビデオカメラ１０１の予約を行わなく、制御権獲得していない場合がある。この場合、プロセスＰ１６０３のプレイコントロールコマンドを受信したデジタルビデオカメラ１０１は表示端末１０４が既に制御権を有していないにもかかわらず、アクセプトがレスポンスされる。通信アダプタ１０３はその旨をアクセスポイント１０５経由で、表示端末１０４へ無線で通知する。
【００８８】
その後、デジタルビデオカメラ１０１のテープに記録されているコンテンツの再生データは、デジタルビデオカメラ１０１から通信アダプタ１０３、アクセスポイント１０５を経由し、表示端末１０４へ送信され、直接表示端末１０４にて表示されることになる。
【００８９】
次に、本実施形態の通信制御装置である通信アダプタ１０３において、ＩＥＥＥ１３９４ケーブル１０２で接続される機器、即ちデジタルビデオカメラ１０１に対するリクエストを無線通信から受信した際の処理を示したフローチャートを図１７に示す。なお、このフローチャートに示される処理は、通信アダプタ１０３の電源がＯＮされてからＯＦＦされるまで繰り返し行われる。
【００９０】
ステップＳ１７０１では、タイマーが動作中で、タイムアウトしたかどうかをチェックする。即ち無線通信の経路を通信アダプタ１０３と表示端末１０４の直接の通信経路から、アクセスポイント１０５経由に切り替える際に開始した時間計測が予め定められた時間経過したかどうかチェックする。タイムアウトしたならばステップＳ１７１５へ移行し、タイムアウトしていないならばステップＳ１７０２へ移行する。
【００９１】
ステップＳ１７０２では、ＩＥＥＥ１３９４ケーブル１０２で接続される機器、即ちデジタルビデオカメラ１０１に対するリクエストを無線通信から受信したかどうかをチェックする。受信したならばステップＳ１７０３へ移行し、受信していなければステップＳ１７０１へ移行する。即ち何もなければステップＳ１７０１とステップＳ１７０２をループし、タイムアウト、及びリクエスト受信のチェックを行う。
【００９２】
ステップＳ１７０３では、受信したリクエストがＩＥＥＥ１３９４ケーブル１０２で接続される機器に対する制御権獲得要求であるかどうかチェックする。制御権獲得要求であるならばステップＳ１７０４へ移行し、制御権獲得要求でなければステップＳ１７０７へ移行する。
【００９３】
ステップＳ１７０４では、受信したリクエストの処理を行う。ここで受信したリクエストは制御権獲得要求である。従って、ＩＥＥＥ１３９４のＡＶ／Ｃジェネラルのリザーブコントロールコマンドに変換し、デジタルビデオカメラ１０１へ送信する。このときリザーブコントロールコマンドに用いられるプライオリティ値は４を使用しても良いし、０以外なら他のプライオリティ値を使用しても良い。
【００９４】
デジタルビデオカメラ１０１からレスポンスが返されたら、そのレスポンスに応じて、通信アダプタ１０３は制御権獲得の結果を表示端末１０４へ直接無線で通信し、ステップＳ１７０５へ移行する。
【００９５】
ステップＳ１７０５では、ステップＳ１７０４にて制御権獲得ができたかどうかをチェックする。獲得できたならばステップＳ１７０６へ移行し、獲得できなかったならばステップＳ１７０１へ移行する。
【００９６】
ステップＳ１７０６では、獲得した機器、即ち表示端末１０４の情報を記録する。具体的には予約したコントローラのノードＩＤ、プライオリティ等を記録し、ステップＳ１７０１へ移行する。
【００９７】
ステップＳ１７０７では、受信したリクエストが、通信経路を通信アダプタ１０３と表示端末１０４の直接の無線通信から、アクセスポイント１０５経由の無線通信に切り替えるため、その間デジタルカメラ１０１でのコンテンツの再生を一時停止する要求であるかどうかチェックする。通信経路切り替えのための一時停止要求であるならばステップＳ１７０８へ移行し、そうでなければステップＳ１７１０へ移行する。
【００９８】
ステップＳ１７０８では、一時停止をリクエストしてきた機器が、一時停止をリクエストされる機器の制御権を獲得している機器かどうかをチェックする。即ち、一時停止をリクエストしてきたコントローラのノードＩＤが、制御権を獲得しているコントローラのノードＩＤと同一であるならば、ステップＳ１７０９へ移行し、そうでなければステップＳ１７１４へ移行する。
【００９９】
ステップＳ１７０９では、タイマーのデータをクリアし、タイマーをスタートさせる。即ち無線通信の経路を通信アダプタ１０３と表示端末１０４の直接の通信経路から、アクセスポイント１０５経由に切り替えるのに伴い、時間計測を開始し、ステップＳ１７１４へ移行する。
【０１００】
ステップＳ１７１０では、受信したリクエストがＩＥＥＥ１３９４ケーブル１０２で接続される機器に対する制御権開放要求であるかどうかチェックする。制御権開放要求であるならばステップＳ１７１１へ移行し、制御権開放要求でなければステップＳ１７１４へ移行する。
【０１０１】
ステップＳ１７１１では、制御権開放をリクエストしてきた機器が、制御権開放をリクエストされる機器の制御権を獲得している機器かどうかをチェックする。即ち、制御権開放をリクエストしてきたコントローラのノードＩＤが、制御権を獲得しているコントローラのノードＩＤと同一であるならば、ステップＳ１７１２へ移行し、そうでなければステップＳ１７１４へ移行する。
【０１０２】
ステップＳ１７１２では、ステップＳ１７０６で記録した獲得機器、即ち表示端末１０４の情報をクリアする。具体的には予約したコントローラのノードＩＤ、プライオリティ等の情報をクリアし、ステップＳ１７１３へ移行する。
【０１０３】
ステップＳ１７１３では、ステップ１７０９でスタートさせたタイマーを停止させる。即ち無線通信の経路を通信アダプタ１０３と表示端末１０４の直接の通信経路から、アクセスポイント１０５経由に切り替えるのに伴い、開始していた時間計測を終了し、ステップＳ１７１４へ移行する。
【０１０４】
ステップＳ１７１４では、受信したリクエストの処理を行い、ステップＳ１７０１へ移行する。ステップＳ１７０９より移行してきたならば、受信したリクエストは一時停止要求である。通信アダプタ１０３は、一時停止要求をＩＥＥＥ１３９４のＡＶ／Ｃジェネラルのプレイコントロールコマンドに変換し、デジタルビデオカメラ１０１へ送信する。このときプレイコントロールコマンドに用いられるプレイバックモードは、ノーマルスピードで順方向に再生中であるならば、その停止である７Ｄ（１６進数）がセットされる。
【０１０５】
また、ステップＳ１７１３より移行してきたならば、受信したリクエストは制御権開放要求である。通信アダプタ１０３は、制御権開放要求をＩＥＥＥ１３９４のＡＶ／Ｃジェネラルのリザーブコントロールコマンドに変換し、デジタルビデオカメラ１０１へ送信する。このときリザーブコントロールコマンドに用いられるプライオリティ値は０を使用する。
【０１０６】
また、ステップＳ１７１０より移行してきたならば、制御権獲得、開放、経路切り替えによる一時停止要求以外の要求である。その場合同様に対応するＩＥＥＥ１３９４のＡＶ／Ｃコマンドに変換し、デジタルビデオカメラ１０１へ送信する。
【０１０７】
ステップＳ１７１５では、通信アダプタ１０３が表示端末１０４に代わってデジタルビデオカメラ１０１の制御権開放を行い、ステップＳ１７１６へ移行する。即ち、ステップＳ１７０１にて、無線通信の経路を通信アダプタ１０３と表示端末１０４の直接の通信経路から、アクセスポイント１０５経由に切り替える際に開始した時間計測が予め定められた時間経過したと判断される。このため、他の機器がデジタルビデオカメラ１０１をコントロールすることが可能となるように、通信アダプタ１０３は、ＩＥＥＥ１３９４のＡＶ／Ｃジェネラルのリザーブコントロールコマンドをデジタルビデオカメラ１０１へ送信する。このときリザーブコントロールコマンドに用いられるプライオリティ値は０を使用する。
【０１０８】
ステップＳ１７１６では、ステップＳ１７０６で記録した獲得機器、即ち表示端末１０４の情報をクリアする。具体的には予約したコントローラのノードＩＤ、プライオリティ等の情報をクリアし、ステップＳ１７１７へ移行する。
【０１０９】
ステップＳ１７１７では、ステップ１７０９でスタートさせたタイマーを停止させる。即ち無線通信の経路を通信アダプタ１０３と表示端末１０４の直接の通信経路から、アクセスポイント１０５経由に切り替えるのに伴い、開始していた時間計測を終了し、ステップＳ１７０１へ移行する。
【０１１０】
以上が、本実施形態の通信制御装置である通信アダプタ１０３において、ＩＥＥＥ１３９４ケーブル１０２で接続される機器、即ち本実施形態ではデジタルビデオカメラ１０１に対するリクエストを無線通信から受信した際の処理を示したフローチャートの説明である。
【０１１１】
なお、本実施形態では無線通信の経路を通信アダプタ１０３と表示端末１０４の直接の通信経路から、アクセスポイント１０５経由に切り替える際、タイムアウトで、通信アダプタ１０３が表示端末１０４の代わりに、プライオリティ値０としたＩＥＥＥ１３９４のＡＶ／Ｃジェネラルのリザーブコントロールコマンドをデジタルビデオカメラ１０１へ送信する。これにより、デジタルビデオカメラ１０１の制御権開放を行っていたが、ＩＥＥＥ１３９４ネットワークの再構築のためのＩＥＥＥ１３９４バスリセットを行うことにより制御権の開放を行うようにしても良いことは言うまでもない。
【０１１２】
また、無線通信の通信経路変更に伴うデジタルビデオカメラ１０１の一時停止要求後予め定められた時間内に、再生再開要求を通信アダプタ１０３が受信できなかった場合、表示端末１０４に代わって通信アダプタ１０３がデジタルビデオカメラ１０１の制御権開放を行うとしているが、予め定められた時間を、予め無線通信のエラー発生率から予測し、一時停止要求時に表示端末１０４から指定するようにしても良い。
【０１１３】
また、通信アダプタ側で予測するようにしても良いし、無線通信を中継するアクセスポイントが予測し、通信アダプタに通知するようにしても良いことは言うまでもない。
【０１１４】
また、本実実施形態ではデジタルビデオカメラ１０１の再生画像データの通信を、通信アダプタ１０３を通して、表示端末１０４に直接に、或いは、アクセスポイント１０５を経由して、送信し、表示させる場合について説明してきたが、通信アダプタ１０３を通じて通信を行う装置であるならば、デジタルビデオカメラ１０１や表示端末１０４以外の他の装置でも良いことは言うまでもない。
【０１１５】
また、本実施形態では通信アダプタ１０３と周辺装置であるデジタルビデオカメラ１０１との接続がＩＥＥＥ１３９４ケーブルである場合について説明してきたが、その他通信ケーブル、或いは無線通信でも良いことは言うまでもない。
【０１１６】
（他の実施形態）
本発明の目的は前述した実施形態の機能を実現するソフトウエアのプログラムコードを記録した記録媒体を、システム或いはコンピュータといった装置に供給し、そのシステム或いはコンピュータといった装置のＣＰＵ（又はＭＰＵ）が記録媒体に格納されたプログラムコードを読み出し実行することによっても、達成されることは言うまでもない。
【０１１７】
この場合、記録媒体から読み出されたプログラムコード自体が前述した実施形態の機能を実現することとなり、そのプログラムコードを記録した記録媒体は本発明を構成することになる。
【０１１８】
プログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤ等を用いることができる。
【０１１９】
また、ＣＰＵが読み出したプログラムコードを実行することにより、前述した実施形態の機能が実現されるだけでなく、そのプログラムコードの指示に基づき、システム或いはコンピュータといった装置上で稼動しているオペレーティングシステム（Operating System）等が、実際の処理の一部又は全部を行い、その処理によって前述した実施例の機能が実現される場合も含まれることは言うまでもない。
【０１２０】
さらに、記録媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【０１２１】
【図１】本実施形態のネットワークシステムの概略構成図である。
【図２】本実施形態の通信制御装置である通信アダプタ装置の構成図である。
【図３】ＦＣＰフレームのフォーマットの説明図である。
【図４】ＡＶ／Ｃコマンドフレームのフォーマット図である。
【図５】ＡＶ／Ｃレスポンスフレームのフォーマット図である。
【図６】コマンドタイプの説明図である。
【図７】サブユニットタイプの説明図である。
【図８】サブユニットＩＤの説明図である。
【図９】レスポンスコードの説明図である。
【図１０】リザーブコントロールコマンドのフォーマット図である。
【図１１】記録されるプライオリティの説明図である。
【図１２】リザーブステータスコマンドのフォーマット図である。
【図１３】プレイコントロールコマンドのフォーマット図である。
【図１４】プレイバックモードの説明図である。
【図１５】通信経路が正常に切り替わった場合の説明図である。
【図１６】通信経路が正常に切り替わらない場合の説明図である。
【図１７】通信アダプタ１０３において接続される機器に対するリクエストを無線通信から受信した際の処理を示したフローチャートである。
【符号の説明】
【０１２２】
１０１  デジタルビデオカメラ
１０２  ＩＥＥＥ１３９４ケーブル
１０３  通信アダプタ
１０４  表示端末
１０５  アクセスポイント
２０１  ＣＰＵ
２０２  ＲＡＭ
２０３  ＩＥＥＥ１３９４コントローラ
２０４  無線通信部
２０５  無線送信部
２０６  無線受信部
２０７  アンテナ
【図１】
2007281971.tif 000003
【図２】
2007281971.tif 000004
【図３】
2007281971.tif 000005
【図４】
2007281971.tif 000006
【図５】
2007281971.tif 000007
【図６】
2007281971.tif 000008
【図７】
2007281971.tif 000009
【図８】
2007281971.tif 000010
【図９】
2007281971.tif 000011
【図１０】
2007281971.tif 000012
【図１１】
2007281971.tif 000013
【図１２】
2007281971.tif 000014
【図１３】
2007281971.tif 000015
【図１４】
2007281971.tif 000016
【図１５】
2007281971.tif 000017
【図１６】
2007281971.tif 000018
【図１７】
2007281971.tif 000019